(57)【要約】【課題】物品のデザイン変更を容易に行う為のデザイン配信方法およびデザイン配信装置を提供することを目的とする。【解決手段】物品７の表示媒体９の表示形態を変化させたプレビューデータを配信するデザイン配信装置２のデザイン配信方法であって、デザイン配信装置２の演算処理装置が物品７及び表示媒体９の識別情報を端末６から受信する受信ステップと、演算処理装置が識別情報に基づき、物品７及び表示媒体９に関するデータと物品７及び表示媒体９に対応するデザインデータとをデータベースから取得する取得ステップと、演算処理装置が物品７及び表示媒体９に関するデータ，物品７及び表示媒体９に対応するデザインデータに基づき、プレビューデータを生成して端末６に配信するプレビューデータ配信ステップとを有することにより上記課題を解決する。【選択図】図１
2008041035.tif 000002
【特許請求の範囲】
【請求項１】
表示媒体を備えた物品の前記表示媒体の表示形態を変化させたプレビューデータを配信するデザイン配信装置のデザイン配信方法であって、
前記デザイン配信装置の演算処理装置が、前記物品及び表示媒体を一意に識別可能な識別情報を端末から受信する受信ステップと、
前記演算処理装置が、前記識別情報に基づき、前記物品及び表示媒体に関するデータと前記物品及び表示媒体に対応するデザインデータとをデータベースから取得する取得ステップと、
前記演算処理装置が、取得した前記物品及び表示媒体に関するデータ，前記物品及び表示媒体に対応するデザインデータに基づき、前記プレビューデータを生成して前記端末に配信するプレビューデータ配信ステップと
を有することを特徴とするデザイン配信方法。
【請求項２】
前記演算処理装置が、前記端末に配信した前記プレビューデータに対応するデザインデータを前記端末から要求される要求受付ステップと、
前記演算処理装置が、前記端末から要求された前記デザインデータを前記端末に配信するデザインデータ配信ステップと
を有することを特徴とする請求項１記載のデザイン配信方法。
【請求項３】
前記受信ステップは、前記演算処理装置が、前記表示媒体の表示形態を変化させている現在のデザインデータを一意に識別可能な識別情報を前記端末から更に受信することを特徴とする請求項１又は２記載のデザイン配信方法。
【請求項４】
前記受信ステップは、前記演算処理装置が、前記物品を使用する利用者の服装の色、日付、場所を表す情報、又は所定のセンサから取得された情報の何れか一つの情報を付加情報として前記端末から更に受信し、
前記取得ステップは、前記識別情報及び前記付加情報に基づき、前記物品及び表示媒体に関するデータと前記物品及び表示媒体に対応するデザインデータとをデータベースから取得することを特徴とする請求項１乃至３何れか一項記載のデザイン配信方法。
【請求項５】
表示媒体を備えた物品の前記表示媒体の表示形態を変化させたプレビューデータを配信するデザイン配信装置であって、
前記物品及び表示媒体を一意に識別可能な識別情報を端末から受信する受信手段と、
前記識別情報に基づき、前記物品及び表示媒体に関するデータと前記物品及び表示媒体に対応するデザインデータとをデータベースから取得する取得手段と、
取得した前記物品及び表示媒体に関するデータ，前記物品及び表示媒体に対応するデザインデータに基づき、前記プレビューデータを生成して前記端末に配信するプレビューデータ配信手段と
を有することを特徴とするデザイン配信装置。
【発明の詳細な説明】
【技術分野】
【０００１】
本発明は、デザイン配信方法およびデザイン配信装置に係り、特に表示媒体を備えた物品のデザインを配信するデザイン配信方法およびデザイン配信装置に関する。
【背景技術】
【０００２】
例えば既製品には無い、自分好みのデザインを施したアパレル（キャップ，シャツ，パンツ，シューズなど）を入手したい場合、利用者はオーダーメードにより自分好みのデザインを施したアパレルを注文によって作るしかなかった。
【０００３】
近年、インターネット等を利用した電子商取引の発展により、利用者はＷｅｂサイト上でアパレル，電化製品，家庭用品，住宅内装などのデザインをシミュレートし、ＰＣや携帯電話，ＰＤＡ上でデザインのシミュレート結果を確認して、自分好みのデザインを施した商品を注文できるようになった（例えば特許文献１参照）。
【特許文献１】特開２００２−１５００５２号公報
【発明の開示】
【発明が解決しようとする課題】
【０００４】
しかしながら、従来のオーダーメードでは店頭で注文をしたとしても、Ｗｅｂサイト上で注文したとしても、商品完成後にデザインを変更することができない。従って、利用者は商品のデザインに飽き、又は時，場所，場合の変化等により、商品のデザインに不満が生じたとしても、その商品のデザインを容易に変更できないという問題があった。
【０００５】
本発明は、上記の点に鑑みなされたもので、物品のデザイン変更を容易に行う為のデザイン配信方法およびデザイン配信装置を提供することを目的とする。
【課題を解決するための手段】
【０００６】
上記の課題を解決するため、本発明は、表示媒体を備えた物品の前記表示媒体の表示形態を変化させたプレビューデータを配信するデザイン配信装置のデザイン配信方法であって、前記デザイン配信装置の演算処理装置が、前記物品及び表示媒体を一意に識別可能な識別情報を端末から受信する受信ステップと、前記演算処理装置が、前記識別情報に基づき、前記物品及び表示媒体に関するデータと前記物品及び表示媒体に対応するデザインデータとをデータベースから取得する取得ステップと、前記演算処理装置が、取得した前記物品及び表示媒体に関するデータ，前記物品及び表示媒体に対応するデザインデータに基づき、前記プレビューデータを生成して前記端末に配信するプレビューデータ配信ステップとを有することを特徴する。
【０００７】
なお、本発明の構成要素、表現または構成要素の任意の組合せを、方法、装置、システム、コンピュータプログラム、記録媒体、データ構造などに適用したものも本発明の態様として有効である。
【発明の効果】
【０００８】
上述の如く、本発明によれば、物品のデザイン変更を容易に行う為のデザイン配信方法およびデザイン配信装置を提供可能である。
【発明を実施するための最良の形態】
【０００９】
次に、本発明を実施するための最良の形態を、以下の実施例に基づき図面を参照しつつ説明していく。なお、本実施例では表示媒体を備えた物品の一例としてアパレル（キャップ，シャツ，パンツ，シューズなど）のうち、特にシューズを例に説明しているが、家電製品，家庭用品，住宅内装など、デザインを変更可能な表示媒体を備えた如何なる物品であってもよい。
【００１０】
また、本実施例では表示媒体の一例として電子ペーパを例に説明するが、電源を利用することなく表示形態（デザイン）を保持可能な如何なる表示媒体であってもよい。以下の実施例では、所有するシューズのデザインを利用者がプレビューし、自分好みのデザインデータの配信を受けて、所有するシューズのデザインを変更する例について説明する。
【００１１】
以下の実施例は、後述するようなデザイン配信サービスを提供可能なシステムにより実現される。図１はデザイン配信サービスを提供するシステムの一実施例のシステム構成図である。
【００１２】
図１のシステム１は、サービス提供サーバ２，電子ペーパ事業者用端末３，アパレル事業者用端末４，デザイン事業者用端末５及び利用者用端末６が、インターネットやＷＡＮなどのネットワーク１０を介して接続されている。
【００１３】
利用者用端末６は、ＲＦＩＤリーダライタ（ＲＦ−Ｒ／Ｗ）を有する。ＲＦＩＤリーダライタとは、ＲＦＩＤタグに対して、データの読み出し／データの書き込みを行う装置である。ＲＦＩＤタグとは、識別情報（ＩＤ）を記録したＩＣチップであり、前述したＲＦＩＤリーダライタによりデータの読み出し／データの書き込みが行われる。
【００１４】
利用者用端末６はＲＦＩＤリーダライタを利用することで、シューズ７が備えているＲＦＩＤタグ８へのデータの書き込み／ＲＦＩＤタグ８からのデータの読み出しによる通信が可能である。シューズ７は更に電子ペーパ９を備えている。本実施例でいう電子ペーパ９とは、電源オフでも表示を保つメモリ性を備え、曲げや指による押下によって表示に影響がないものを言う。したがって、シューズ７はＲＦＩＤタグ８に書き込まれたデザインデータを利用して電子ペーパ９にデザインを表示したあと、電源オフでもデザインを保持し続けることができる。
【００１５】
利用者用端末６はデザイン配信サービスを利用する利用者が操作するものである。利用者用端末６は利用者の所有するシューズ７にかざされると、シューズ７の備えるＲＦＩＤタグ８からＩＤを読み出し、そのＩＤをサービス提供サーバ２に送信することで、後述するプレビューデータやデザインデータの配信を受ける。なお、ＲＦＩＤタグ８に書き込まれているＩＤの詳細は後述する。利用者は、利用者用端末６上で例えばプレビューを参照できる。
【００１６】
また、例えばＲＦＩＤタグ８にサービス提供サーバ２のアクセス先（ＵＲＬ）を書き込んでおけば、利用者の所有するシューズ７にかざされることで、利用者用端末６はＲＦＩＤタグ８からアクセス先を読み出し、配信サイトとしてのサービス提供サーバ２にアクセスできる。
【００１７】
電子ペーパ事業者用端末３は電子ペーパ９に関するデータ（仕様書／図面／画像等）を電子ペーパデータとしてサービス提供サーバ２に登録する電子ペーパ事業者が操作するものである。アパレル事業者用端末４はシューズに関するデータ（仕様書／図面／画像／電子ペーパＩＤ等）をアパレルデータとしてサービス提供サーバ２に登録するアパレル事業者が操作するものである。また、デザイン事業者用端末５はデザインデータをサービス提供サーバ２に登録するデザイン事業者が操作するものである。
【００１８】
サービス提供サーバ２は電子ペーパ事業者用端末３，アパレル事業者用端末４，デザイン事業者用端末５から登録された電子ペーパデータ，アパレルデータ，デザインデータをデータベースにより管理する。サービス提供サーバ２は電子ペーパ９にデザインが施されたプレビューデータを、データベースにより管理されている電子ペーパデータ，アパレルデータ，デザインデータで生成し、利用者用端末６に配信する。利用者用端末６は配信されたプレビューデータを利用して、利用者にプレビューの参照およびプレビューの選択を行わせる。
【００１９】
また、サービス提供サーバ２は利用者により選択されたプレビューデータに対応するデザインデータをデータベースから取得して利用者用端末６に配信する。利用者は利用者用端末６を操作してシューズ７のＲＦＩＤタグ８にデザインデータを書き込むことで、電子ペーパ９のデザインを変更できる。つまり、利用者は所有するシューズ７のデザインを変更することができる。
【００２０】
なお、図１のシステム１において、サービス提供サーバ２は電子ペーパ事業者，アパレル事業者，デザイン事業者とは別のサービス事業者が管理してもよいし、電子ペーパ事業者，アパレル事業者，デザイン事業者の何れかが管理するようにしてもよい。
【００２１】
図２は、サービス提供サーバの一例のハードウェア構成図である。サービス提供サーバ２は、それぞれバスＢで相互に接続されている入力装置２１，出力装置２２，ドライブ装置２３，補助記憶装置２４，メモリ装置２５，演算処理装置２６およびインターフェース装置２７を有する構成である。
【００２２】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ルータ，ＬＡＮカードなどで構成されており、ネットワーク１０に接続する為に用いられる。
【００２３】
本発明によるサービス提供プログラムは、サービス提供サーバ２を制御する各種プログラムの少なくとも一部である。サービス提供プログラムは例えば記録媒体２８の配布やネットワーク１０からのダウンロードなどによって提供される。サービス提供プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２４】
また、サービス提供プログラムを記録した記録媒体２８がドライブ装置２３にセットされると、サービス提供プログラムは記録媒体２８からドライブ装置２３を介して補助記憶装置２４にインストールされる。ネットワーク１０からダウンロードされたサービス提供プログラムは、インターフェース装置２７を介して補助記憶装置２４にインストールされる。
【００２５】
サービス提供サーバ２は、インストールされたサービス提供プログラムを補助記憶装置２４に格納すると共に、必要なファイル，データ等を格納する。メモリ装置２５は起動時に補助記憶装置２４からサービス提供プログラムを読み出して格納する。そして、演算処理装置２６はメモリ装置２５に格納されたサービス提供プログラムに従って、後述するような各種処理を実現している。
【００２６】
図３は、サービス提供サーバの一例の処理ブロック図である。図３に示したサービス提供サーバ２は、ＩＤ受信部３１，データ取得部３２，プレビューデータ配信部３３，デザインデータ要求受付部３４，デザインデータ配信部３５，電子ペーパＤＢ３６，アパレルＤＢ３７，デザインＤＢ３８を有する構成である。なお、図３に示した処理ブロックの詳細は後述する。
【００２７】
図４は、利用者が所有するシューズのデザインデータをネットワーク経由で提供するデザイン配信サービスの一例のイメージ図である。電子ペーパ事業者は電子ペーパ事業者用端末３からサービス提供サーバ２に電子ペーパデータの登録を行う。アパレル事業者はアパレル事業者用端末４からサービス提供サーバ２にアパレルデータの登録を行う。デザイン事業者はデザイン事業者用端末５からサービス提供サーバ２にデザインデータの登録を行う。また、サービス事業者はサービス提供サーバ２の管理を行う。
【００２８】
したがって、サービス提供サーバ２には電子ペーパデータ，アパレルデータ及びデザインデータが登録される。サービス提供サーバ２は電子ペーパデータ，アパレルデータ及びデザインデータからプレビューデータを生成して利用者用端末６に配信する。利用者用端末６には例えば図４に示すように複数のシューズ７のプレビューが表示される。図４にプレビューが表示されたシューズ７は、例えば図５に示すように、デザインを変更したい位置に電子ペーパ９ａ，９ｂが備えられている。図５は電子ペーパを備えたシューズの一例の外観図である。
【００２９】
利用者はプレビューを参照し、好みのデザインが施されたシューズ７のプレビューがあれば、そのプレビューを選択することにより、サービス提供サーバ２から選択されたプレビューに対応するデザインデータの配信を受けることができる。
【００３０】
利用者は利用者用端末６を操作し、ＲＦＩＤリーダライタを利用してシューズ７が備えているＲＦＩＤタグ８へデザインデータを書き込むことにより、そのシューズ７のデザインをプレビューのデザインと同様に変更できる。
【００３１】
図６はデザイン配信サービスの手順を表した一例のイメージ図である。ステップＳ１に進み、電子ペーパ事業者は電子ペーパ事業者用端末３が有する電子ペーパ登録手段６１を利用して、電子ペーパ９に関するデータ（仕様書／図面／画像など）を電子ペーパデータとしてサービス提供サーバ２の電子ペーパＤＢ３６に登録する。図６は、電子ペーパＩＤが［ＥＰ００１］，［ＥＰ００２］である電子ペーパ９の電子ペーパデータを登録した例を表している。
【００３２】
また、アパレル事業者はアパレル事業者用端末４が有するアパレル登録手段６２を利用して、シューズ７に関するデータ（仕様書／図面／画像／電子ペーパＩＤなど）をアパレルデータとしてサービス提供サーバ２のアパレルＤＢ３７に登録する。図６は、アパレルＩＤが［ＡＰ００１］であるシューズ７のアパレルデータを登録した例を表している。
【００３３】
さらに、デザイン事業者はデザイン事業者用端末５が有するデザイン登録手段６３を利用して、デザインデータをサービス提供サーバ２のデザインＤＢ３８に登録する。図６はデザインＩＤが［ＤＥ００３］，［ＤＥ００４］であるデザインデータを登録した例を表している。
【００３４】
ステップＳ２に進み、利用者は利用者用端末６をシューズ７にかざして、シューズ７の備えるＲＦＩＤタグ８からアパレルＩＤ及び電子ペーパＩＤを読み出す。ステップＳ３に進み、利用者は読み出したアパレルＩＤ及び電子ペーパＩＤを使用者用端末６からサービス提供サーバ２に送信することで、シューズ７にデザインを施したプレビューデータ（例えばお薦めデザインなど）の要求を行う。
【００３５】
サービス提供サーバ２のＩＤ受信部３１は、利用者用端末６からアパレルＩＤ及び電子ペーパＩＤを受信する。サービス提供サーバ２のデータ取得部３２は受信したアパレルＩＤ及び電子ペーパＩＤに対応する電子ペーパデータ，アパレルデータ及びデザインデータを電子ペーパＤＢ３６，アパレルＤＢ３７，デザインＤＢ３８から取得する。
【００３６】
そして、サービス提供サーバ２のプレビューデータ配信部３３は、取得した電子ペーパデータ，アパレルデータ及びデザインデータから後述するようにプレビューデータを生成する。ステップＳ４に進み、プレビューデータ配信部３３は生成したプレビューデータを利用者用端末６に配信する。利用者用端末６には例えば図６に示すように複数のシューズ７のプレビューが表示される。
【００３７】
利用者は利用者用端末６を操作して、プレビューを参照し、好みのデザインが施されたシューズ７のプレビューがあれば、そのプレビューを選択する。プレビューが利用者により選択されると、利用者用端末６はステップＳ５に進み、選択されたプレビューに対応するデザインデータをサービス提供サーバ２に要求する。
【００３８】
サービス提供サーバ２のデザインデータ要求受付部３４は、利用者用端末６から利用者の選択したプレビューに対応するデザインデータの要求を受け付ける。すると、サービス提供サーバ２のデザインデータ配信部３５はステップＳ６に進み、要求を受け付けたデザインデータをデザインＤＢ３８から取得して、利用者用端末６に配信する。
【００３９】
このように、利用者用端末６は利用者の選択したプレビューに対応するデザインデータの配信を受けることができる。図６はデザインＩＤが［ＤＥ００３］，［ＤＥ００４］であるデザインデータの配信を受けた例を表している。
【００４０】
利用者は利用者用端末６を操作し、ＲＦＩＤリーダライタを利用してシューズ７が備えているＲＦＩＤタグ８へデザインデータを書き込むことにより、そのシューズ７のデザインをプレビューのデザインと同様に変更できる。図６はシューズ７の備える電子ペーパ９のデザインをデザインＩＤが［ＤＥ００３］，［ＤＥ００４］であるデザインデータにより変更した例を表している。
【００４１】
図７は電子ペーパデータを登録する処理の手順を表した一例のイメージ図である。ステップＳ１１に進み、電子ペーパ事業者は電子ペーパ事業者用端末３を利用して電子ペーパ９に関するデータ（仕様書／図面／画像など）を作成する。例えば画像はカメラ７１を利用して作成される。
【００４２】
また、ステップＳ１２に進み、電子ペーパ事業者は電子ペーパ９を一意に識別可能な電子ペーパＩＤを生成する。電子ペーパ事業者は、電子ペーパ事業者用端末３を利用して電子ペーパ９に関するデータのファイル名に電子ペーパＩＤを関連付ける。電子ペーパ事業者はＲＦＩＤリーダライタ（ＲＦ−Ｒ／Ｗ）７２を利用して、電子ペーパ９と対応付けられているＲＦＩＤタグ８に電子ペーパＩＤを書き込む。図７はＲＦＩＤタグ８に書き込まれた電子ペーパＩＤが［ＥＰ００１］である例を表している。
【００４３】
ステップＳ１３に進み、電子ペーパ事業者は電子ペーパ事業者用端末３の電子ペーパ登録手段６１を利用して、電子ペーパ９に関するデータ（仕様書／図面／画像など）を電子ペーパデータとしてサービス提供サーバ２の電子ペーパＤＢ３６に登録する。図６は、電子ペーパＩＤが［ＥＰ００１］である電子ペーパ９の電子ペーパデータを登録する例を表している。
【００４４】
図８はアパレルデータを登録する処理の手順を表した一例のイメージ図である。ステップＳ２１に進み、アパレル事業者はアパレル事業者用端末４を利用してシューズ７に関するデータ（仕様書／図面／画像／電子ペーパＩＤなど）を作成する。例えば画像はカメラ７１を利用して作成される。
【００４５】
また、ステップＳ２２に進み、アパレル事業者はシューズ７を一意に識別可能なアパレルＩＤを生成する。アパレル事業者はアパレル事業者用端末４を利用してシューズ７に関するデータのファイル名にアパレルＩＤを関連付ける。アパレル事業者はＲＦＩＤリーダライタ（ＲＦ−Ｒ／Ｗ）７２を利用して、シューズ７と対応付けられているＲＦＩＤタグ８ａ，８ｂにアパレルＩＤを追加して書き込む。図８はＲＦＩＤタグ８ａ，８ｂに書き込まれたアパレルＩＤが［ＡＰ００１］である例を表している。
【００４６】
ステップＳ２３に進み、アパレル事業者は、アパレル事業者用端末４のアパレル登録手段６２を利用して、シューズ７に関するデータ（仕様書／図面／画像／電子ペーパＩＤなど）をアパレルデータとしてサービス提供サーバ２のアパレルＤＢ３７に登録する。図８は、アパレルＩＤが［ＡＰ００１］であるシューズ７のアパレルデータを登録する例を表している。
【００４７】
図９はデザインデータを登録する処理の手順を表した一例のイメージ図である。ステップＳ３１に進み、デザイン事業者はデザイン事業者用端末５を利用して例えば画面上でアパレルの選択を行う。ここでは、シューズ７が選択された例を説明する。デザイン事業者用端末５はデザイン事業者により選択されたシューズ７のアパレルＩＤに基づき、サービス提供サーバ２からシューズ７に関するデータをダウンロードする。
【００４８】
また、ステップＳ３２に進み、デザイン事業者はデザイン事業者用端末５を利用して例えば画面上で電子ペーパ９の選択を行う。ここでは、電子ペーパＩＤが［ＥＰ００１］の電子ペーパ９ａが選択された例を説明する。デザイン事業者用端末５はデザイン事業者により選択された電子ペーパ９ａの電子ペーパＩＤに基づき、サービス提供サーバ２から電子ペーパ９ａに関するデータをダウンロードする。
【００４９】
ステップＳ３３に進み、デザイン事業者はダウンロードしたシューズ７に関するデータ及び電子ペーパ９ａに関するデータに基づいてデザイン作業を実施し、デザイン事業者用端末５を利用してデザインデータを作成する。ステップＳ３４に進み、デザイン事業者はデザイン事業者用端末５を利用して、デザインデータをサービス提供サーバ２のデザインＤＢ３８に登録する。図９はデザインＩＤが［ＤＥ００１］であるデザインデータを電子ペーパＩＤが［ＥＰ００１］である電子ペーパ９ａと対応付けてデザインＤＢ３８に登録した例を表している。
【００５０】
図１０は利用者用端末がシューズの備えているＲＦＩＤタグから電子ペーパＩＤ等のＩＤを読み出す処理の手順を表した一例のイメージ図である。図１０に示すように、ＲＦＩＤタグ８及び電子ペーパ９は、表示回路１０１，メモリ１０２，ＲＦＩＤタグアンテナ１０３及びＲＦＩＤタグ制御回路１０４を有する。また、利用者用端末６はＲＦ−Ｒ／Ｗ制御回路１０５，ＲＦ−Ｒ／Ｗアンテナ１０６，端末アンテナ１０７，端末制御回路１０８及び表示装置１０９を有する。
【００５１】
ＲＦＩＤタグ８及び電子ペーパ９は、利用者用端末６から非接触電力伝送技術により動作電源を供給される。メモリ１０２は例えばアパレルＩＤ及び電子ペーパＩＤを記録している。利用者用端末６がＲＦＩＤタグ８にかざされると、ＲＦＩＤタグ制御回路１０４はメモリ１０２からアパレルＩＤ及び電子ペーパＩＤを取得し、そのアパレルＩＤ及び電子ペーパＩＤをＲＦＩＤタグアンテナ１０３から送信する。
【００５２】
利用者用端末６のＲＦ−Ｒ／Ｗ制御回路１０５は、ＲＦ−Ｒ／Ｗアンテナ１０６からアパレルＩＤ及び電子ペーパＩＤを受信する。端末制御回路１０８は、ＲＦ−Ｒ／Ｗ制御回路１０５が受信したアパレルＩＤ及び電子ペーパＩＤを端末アンテナ１０７からサービス提供サーバ２に送信する。
【００５３】
この後、利用者用端末６は、送信したアパレルＩＤ及び電子ペーパＩＤに基づいたプレビューデータをサービス提供サーバ２から配信される。利用者用端末６は、サービス提供サーバ２から配信されたプレビューデータを表示装置１０９に表示できる。
【００５４】
図１１は利用者用端末がシューズの備えているＲＦＩＤタグにデザインデータを配信する処理の手順を表した一例のイメージ図である。図１１の構成は、図１０の構成と同様である。
【００５５】
利用者用端末６の端末制御回路１０８は端末アンテナ１０７からデザインデータを配信される。ＲＦ−Ｒ／Ｗ制御回路１０５は、端末制御回路１０８が受信したデザインデータをＲＦ−Ｒ／Ｗアンテナ１０６から送信する。
【００５６】
ＲＦＩＤタグ制御回路１０４はＲＦＩＤタグアンテナ１０３からデザインデータを受信する。ＲＦＩＤタグ制御回路１０４は受信したデザインデータを１つ以上の表示回路１０１に送信する。表示回路１０１は受信したデザインデータに基づいて、電子ペーパ９のデザインを変更できる。
【００５７】
図１２はプレビューデータを生成する処理の手順を表したフローチャートである。ステップＳ５１に進み、プレビューデータ配信部３３に含まれるプレビューデータ生成手段はアパレルＩＤが［ＡＰ００１］の図１３（ａ）に示すようなデータテーブルをアパレルＤＢ３７から取得する。図１３（ａ）に示すデータテーブルはシューズ７に関するデータから集めた画像の合成に必要なパラメータを表す。
【００５８】
ステップＳ５２に進み、プレビューデータ生成手段は、アパレル画像ファイル［ＡＰ００１．ｊｐｇ］をアパレルＤＢ３７から取得する。さらに、ステップＳ５３に進み、プレビューデータ生成手段は、電子ペーパＩＤが［ＥＰ００１］の図１３（ｂ）に示すようなデータテーブルを電子ペーパＤＢ３６から取得する。図１３（ｂ）に示すデータテーブルは電子ペーパ９ａに関するデータから集めた画像の合成に必要なパラメータを表す。
【００５９】
ステップＳ５４に進み、プレビューデータ生成手段は、電子ペーパ画像ファイル［ＥＰ００１．ｊｐｇ］を電子ペーパＤＢ３６から取得する。また、ステップＳ５５に進み、プレビューデータ生成手段は、デザイン画像ファイル［ＤＥ０１５．ｊｐｇ］をデザインＤＢ３８から取得する。
【００６０】
続いてステップＳ５６に進み、プレビューデータ生成手段は電子ペーパ画像ファイルの原点（Ｘｄ，Ｙｄ）を図１４（ａ）のアパレル画像ファイルの原点（Ｘｅ，Ｙｅ）へセットする。また、ステップＳ５７に進み、プレビューデータ生成手段は電子ペーパ画像ファイルを、アパレル画像ファイルの原点（Ｘｅ，Ｙｅ）を中心にθｅ回転する。
【００６１】
更に、ステップＳ５８に進み、プレビューデータ生成手段は電子ペーパ画像ファイルを図１３（ａ）の電子ペーパ縮尺「ｚ」に基づき、拡大／縮小することで、アパレル画像に電子ペーパ画像を図１４（ｂ）に示すように合成できる。
【００６２】
続いてステップＳ５９に進み、プレビューデータ生成手段は、デザイン画像ファイルの限定を、電子ペーパ画像ファイルの原点（Ｘｄ，Ｙｄ）へセットする。また、ステップＳ６０に進み、プレビューデータ生成手段は電子ペーパ画像ファイルを、電子ペーパ画像ファイルの原点（Ｘｄ，Ｙｄ）を中心にθｅ回転する。
【００６３】
更に、ステップＳ６１に進み、プレビューデータ生成手段はデザイン画像ファイルを図１３（ａ）の電子ペーパ縮尺「ｚ」に基づき、拡大／縮小することで、電子ペーパ画像にデザイン画像を図１４（ｃ）に示すように合成できる。
【００６４】
以下、利用者用端末６に配信するプレビューデータの作成についての実施例を順次説明していく。
【実施例１】
【００６５】
図１５はプレビューデータを作成する手順を表す第１実施例のイメージ図である。図１６は第１実施例に係るサービス提供サーバの処理手順を表したフローチャートである。
【００６６】
利用者は利用者用端末６をシューズ７にかざして、シューズ７の備えるＲＦＩＤタグ８からアパレルＩＤ［ＡＰ００１］，電子ペーパＩＤ［ＥＰ００１］及び［ＥＰ００２］を読み出す。利用者はアパレルＩＤ［ＡＰ００１］，電子ペーパＩＤ［ＥＰ００１］及び［ＥＰ００２］を使用者用端末６からサービス提供サーバ２に送信して、シューズ７にデザインを施したプレビューデータの要求を行う。
【００６７】
ステップＳ８０に進み、サービス提供サーバ２は、利用者用端末６からアパレルＩＤ［ＡＰ００１］，電子ペーパＩＤ［ＥＰ００１］及び［ＥＰ００２］を受信する。サービス提供サーバ２は、アパレルＩＤ［ＡＰ００１］に対応するアパレルデータをアパレルＤＢ３７から取得する。また、サービス提供サーバ２は電子ペーパＩＤ［ＥＰ００１］及び［ＥＰ００２］に対応する電子ペーパデータを電子ペーパＤＢ３６から取得する。
【００６８】
ステップＳ８１に進み、サービス提供サーバ２は、取得した電子ペーパデータ，アパレルデータに含まれるアパレル画像と電子ペーパ画像とを組み合わせて合成する。サービス提供サーバ２は、アパレルＩＤ［ＡＰ００１］，電子ペーパＩＤ［ＥＰ００１］及び［ＥＰ００２］に対応するデザインデータを、例えば表１５１に基づき、デザインＤＢ３８から取得する。表１５１は、電子ペーパＩＤとデザインＩＤとを対応付けたものである。
【００６９】
表１５１は、例えばデザイン候補として、電子ペーパＩＤ［ＥＰ００１］にデザインＩＤ［ＤＥ０１１］、電子ペーパＩＤ［ＥＰ００２］にデザインＩＤ［ＤＥ００２］を対応付けたものと、電子ペーパＩＤ［ＥＰ００１］にデザインＩＤ［ＤＥ０１２］、電子ペーパＩＤ［ＥＰ００２］にデザインＩＤ［ＤＥ０２２］を対応付けたものとを表している。
【００７０】
ステップＳ８２，Ｓ８３に進み、サービス提供サーバ２はアパレル画像と電子ペーパ画像とを組み合わせて合成した画像へデザインデータに含まれるデザイン画像を順番に合成して、デザイン候補のプレビューデータを作成する。
【００７１】
ステップＳ８４に進み、サービス提供サーバ２は作成したプレビュー画像をリストに追加し、利用者用端末６に配信する。利用者用端末６には、シューズ７にデザインを施したプレビューが表示される。
【実施例２】
【００７２】
図１７はプレビューデータを作成する手順を表す第２実施例のイメージ図である。図１８は第２実施例に係るサービス提供サーバの処理手順を表したフローチャートである。
【００７３】
利用者は利用者用端末６をシューズ７にかざして、シューズ７の備えるＲＦＩＤタグ８からアパレルＩＤ［ＡＰ００１］，電子ペーパＩＤ［ＥＰ００１］及び［ＥＰ００２］，デザインデータＩＤ［ＤＥ０１２］及び［ＤＥ０２２］を読み出す。利用者は、アパレルＩＤ［ＡＰ００１］，電子ペーパＩＤ［ＥＰ００１］及び［ＥＰ００２］，デザインデータＩＤ［ＤＥ０１２］及び［ＤＥ０２２］を使用者用端末６からサービス提供サーバ２に送信して、シューズ７にデザインを施したプレビューデータの要求を行う。
【００７４】
ステップＳ９０に進み、サービス提供サーバ２は、利用者用端末６からアパレルＩＤ［ＡＰ００１］，電子ペーパＩＤ［ＥＰ００１］及び［ＥＰ００２］，デザインデータＩＤ［ＤＥ０１２］及び［ＤＥ０２２］を受信する。サービス提供サーバ２は、アパレルＩＤ［ＡＰ００１］に対応するアパレルデータをアパレルＤＢ３７から取得する。また、サービス提供サーバ２は電子ペーパＩＤ［ＥＰ００１］及び［ＥＰ００２］に対応する電子ペーパデータを電子ペーパＤＢ３６から取得する。
【００７５】
ステップＳ９１に進み、サービス提供サーバ２は、取得した電子ペーパデータ，アパレルデータに含まれるアパレル画像と電子ペーパ画像とを組み合わせて合成する。サービス提供サーバ２は、アパレルＩＤ［ＡＰ００１］，電子ペーパＩＤ［ＥＰ００１］及び［ＥＰ００２］に対応するデザインデータを、例えば表１５１に基づき、デザインＤＢ３８から取得する。
【００７６】
ステップＳ９２，Ｓ９３に進み、サービス提供サーバ２はアパレル画像と電子ペーパ画像とを組み合わせて合成した画像へ、利用中のデザインデータ以外のデザインデータに含まれるデザイン画像を順番に合成することで、利用中のデザインを除いたデザイン候補のプレビューデータを作成する。なお、利用者が利用中のデザインデータは利用者用端末６から受信しているため、サービス提供サーバ２は利用中のデザインを除いたデザイン候補を選択できる。
【００７７】
ステップＳ９４に進み、サービス提供サーバ２は作成したプレビュー画像をリストに追加し、利用者用端末６に配信する。利用者用端末６には、シューズ７に利用中以外のデザインを施したプレビューが表示される。
【００７８】
なお、図１７の例ではシューズ７の備えるＲＦＩＤタグ８から利用中のデザインデータを表すデザインデータＩＤを読み出し、そのデザインデータＩＤから利用中のデザインを除いたデザイン候補を選択する例を示したが、その他、以下のように実現してもよい。
【００７９】
例えばサービス提供サーバ２は、利用者毎に現在利用中のデザインデータを表すデザインデータＩＤを保持するテーブルを備えておく。このテーブルは、利用者を表す利用者ＩＤと、その利用者が利用中のデザインデータを表すデザインデータＩＤと、電子ペーパＩＤとが対応付けられている。
【００８０】
利用者は、シューズ７の備えるＲＦＩＤタグ８から利用者ＩＤを読み出し、その利用者ＩＤをサービス提供サーバ２に送信して、プレビューデータの要求を行う。なお、利用者用端末６に保持されている利用者ＩＤを利用するようにしてもよい。サービス提供サーバ２は、利用者用端末６から受信した利用者ＩＤを用いてテーブルから利用者が現在利用中のデザインデータを表すデザインデータＩＤを取得する。
【００８１】
このように、サービス提供サーバ２は利用者ＩＤを用いてテーブルを参照することで現在利用中のデザインデータを表すデザインデータＩＤを読み出し、そのデザインデータＩＤから利用中のデザインを除いたデザイン候補を選択できる。
【実施例３】
【００８２】
図１９はプレビューデータを作成する手順を表す第３実施例のイメージ図である。図２０は第３実施例に係るサービス提供サーバの処理手順を表したフローチャートである。
【００８３】
利用者は利用者用端末６をシューズ７にかざして、シューズ７の備えるＲＦＩＤタグ８からアパレルＩＤ［ＡＰ００１］，電子ペーパＩＤ［ＥＰ００１］及び［ＥＰ００２］を読み出す。また、利用者は例えば利用者用端末６の撮影機能を利用して利用者１９１の写真撮影を行い、利用者１９１の画像ファイルを生成する。利用者はアパレルＩＤ［ＡＰ００１］，電子ペーパＩＤ［ＥＰ００１］及び［ＥＰ００２］，利用者１９１の画像ファイルを使用者用端末６からサービス提供サーバ２に送信して、シューズ７にデザインを施したプレビューデータの要求を行う。
【００８４】
ステップＳ１００に進み、サービス提供サーバ２は、利用者用端末６からアパレルＩＤ［ＡＰ００１］，電子ペーパＩＤ［ＥＰ００１］及び［ＥＰ００２］，利用者１９１の画像ファイルを受信する。ステップＳ１０１に進み、サービス提供サーバ２は利用者１９１の画像ファイルを画像処理し、服装の色を判定する。
【００８５】
ステップＳ１０２に進み、サービス提供サーバ２は、アパレルＩＤ［ＡＰ００１］に対応するアパレルデータをアパレルＤＢ３７から取得する。また、サービス提供サーバ２は電子ペーパＩＤ［ＥＰ００１］及び［ＥＰ００２］に対応する電子ペーパデータを、電子ペーパＤＢ３６から取得する。サービス提供サーバ２は、取得した電子ペーパデータ，アパレルデータに含まれるアパレル画像と電子ペーパ画像とを組み合わせて合成する。
【００８６】
ステップＳ１０３及びＳ１０４に進み、サービス提供サーバ２は服装の色に対応するデザインデータを、例えば表１９２に基づき、デザインＤＢ３８から取得する。表１９２は服装の色及び電子ペーパＩＤとデザインＩＤとを対応付けたものである。図１９の例ではサービス提供サーバ２が、服装の色「赤」に対応するデザインＩＤ［ＤＥ０１１］及び［ＤＥ００２］をデザインＤＢ３８から取得している。
【００８７】
サービス提供サーバ２はアパレル画像と電子ペーパ画像とを組み合わせて合成した画像へ服装の色に対応したデザインデータに含まれるデザイン画像を順番に合成して、デザイン候補のプレビューデータを作成する。
【００８８】
ステップＳ１０５に進み、サービス提供サーバ２は作成したプレビュー画像をリストに追加し、利用者用端末６に配信する。利用者用端末６には、シューズ７に利用者の服装の色から推奨するデザインを施したプレビューが表示される。
【００８９】
なお、利用者１９１が装着中の服装にもＲＦＩＤタグ８を備えさせ、そのＲＦＩＤタグ８に服装の色を表すＩＤを書き込んでおけば、撮影機能を利用することなく、図１９及び図２０に示した第３実施例を実現できる。
【実施例４】
【００９０】
図２１はプレビューデータを作成する手順を表す第４実施例のイメージ図である。図２２は第４実施例に係るサービス提供サーバの処理手順を表したフローチャートである。
【００９１】
利用者は利用者用端末６をシューズ７にかざして、シューズ７の備えるＲＦＩＤタグ８からアパレルＩＤ［ＡＰ００１］，電子ペーパＩＤ［ＥＰ００１］及び［ＥＰ００２］を読み出す。利用者はアパレルＩＤ［ＡＰ００１］，電子ペーパＩＤ［ＥＰ００１］及び［ＥＰ００２］を使用者用端末６からサービス提供サーバ２に送信して、シューズ７にデザインを施したプレビューデータの要求を行う。
【００９２】
ステップＳ１１０に進み、サービス提供サーバ２は、利用者用端末６からアパレルＩＤ［ＡＰ００１］，電子ペーパＩＤ［ＥＰ００１］及び［ＥＰ００２］を受信する。ステップＳ１１１に進み、サービス提供サーバ２はシステムの日付データを取得する。
【００９３】
ステップＳ１１２に進み、サービス提供サーバ２は、アパレルＩＤ［ＡＰ００１］に対応するアパレルデータをアパレルＤＢ３７から取得する。また、サービス提供サーバ２は電子ペーパＩＤ［ＥＰ００１］及び［ＥＰ００２］に対応する電子ペーパデータを、電子ペーパＤＢ３６から取得する。サービス提供サーバ２は、取得した電子ペーパデータ，アパレルデータに含まれるアパレル画像と電子ペーパ画像とを組み合わせて合成する。
【００９４】
ステップＳ１１３及びＳ１１４に進み、サービス提供サーバ２は日付データから季節を判断し、その季節に対応するデザインデータを、例えば表２１１に基づき、デザインＤＢ３８から取得する。表２１１は季節及び電子ペーパＩＤとデザインＩＤとを対応付けたものである。図２１の例では、サービス提供サーバ２が、季節「夏」に対応するデザインＩＤ［ＤＥ０１２］及び［ＤＥ０２２］をデザインＤＢ３８から取得している。
【００９５】
サービス提供サーバ２はアパレル画像と電子ペーパ画像とを組み合わせて合成した画像へ季節に対応したデザインデータに含まれるデザイン画像を順番に合成して、デザイン候補のプレビューデータを作成する。
【００９６】
ステップＳ１１５に進み、サービス提供サーバ２は作成したプレビュー画像をリストに追加し、利用者用端末６に配信する。利用者用端末６には、シューズ７に季節から推奨するデザインを施したプレビューが表示される。
【実施例５】
【００９７】
図２３はプレビューデータを作成する手順を表す第５実施例のイメージ図である。図２４は第５実施例に係るサービス提供サーバの処理手順を表したフローチャートである。
【００９８】
利用者は利用者用端末６をシューズ７にかざして、シューズ７の備えるＲＦＩＤタグ８からアパレルＩＤ［ＡＰ００１］，電子ペーパＩＤ［ＥＰ００１］及び［ＥＰ００２］を読み出す。また、利用者は例えば利用者用端末６のＧＰＳ等を利用して場所データとしてのＧＰＳデータを検出する。
【００９９】
利用者は、アパレルＩＤ［ＡＰ００１］，電子ペーパＩＤ［ＥＰ００１］及び［ＥＰ００２］，ＧＰＳデータを使用者用端末６からサービス提供サーバ２に送信して、シューズ７にデザインを施したプレビューデータの要求を行う。
【０１００】
ステップＳ１２０に進み、サービス提供サーバ２は、利用者用端末６からアパレルＩＤ［ＡＰ００１］，電子ペーパＩＤ［ＥＰ００１］及び［ＥＰ００２］を受信する。ステップＳ１２１に進み、サービス提供サーバ２はＧＰＳデータを取得する。
【０１０１】
ステップＳ１２２に進み、サービス提供サーバ２は、アパレルＩＤ［ＡＰ００１］に対応するアパレルデータをアパレルＤＢ３７から取得する。また、サービス提供サーバ２は電子ペーパＩＤ［ＥＰ００１］及び［ＥＰ００２］に対応する電子ペーパデータを、電子ペーパＤＢ３６から取得する。サービス提供サーバ２は、取得した電子ペーパデータ，アパレルデータに含まれるアパレル画像と電子ペーパ画像とを組み合わせて合成する。
【０１０２】
ステップＳ１２３及びＳ１２４に進み、サービス提供サーバ２はＧＰＳデータから場所を判断し、その場所に対応するデザインデータを、例えば表２３１に基づき、デザインＤＢ３８から取得する。表２３１は場所及び電子ペーパＩＤとデザインＩＤとを対応付けたものである。図２３の例では、サービス提供サーバ２が、場所「霞ヶ関」に対応するデザインＩＤ［ＤＥ０１２］及び［ＤＥ０２２］をデザインＤＢ３８から取得している。
【０１０３】
サービス提供サーバ２はアパレル画像と電子ペーパ画像とを組み合わせて合成した画像へ場所に対応したデザインデータに含まれるデザイン画像を順番に合成して、デザイン候補のプレビューデータを作成する。
【０１０４】
ステップＳ１２５に進み、サービス提供サーバ２は作成したプレビュー画像をリストに追加し、利用者用端末６に配信する。利用者用端末６には、シューズ７に場所から推奨するデザインを施したプレビューが表示される。
【実施例６】
【０１０５】
図２５はプレビューデータを作成する手順を表す第６実施例のイメージ図である。図２６は第６実施例に係るサービス提供サーバの処理手順を表したフローチャートである。
【０１０６】
利用者は利用者用端末６をシューズ７にかざして、シューズ７の備えるＲＦＩＤタグ８からアパレルＩＤ［ＡＰ００１］，電子ペーパＩＤ［ＥＰ００１］及び［ＥＰ００２］を読み出す。また、利用者は例えば利用者用端末６やシューズ７等のセンサを利用してセンサ情報を検出する。センサ情報には、環境情報（天気，雰囲気，明るさなど），利用者情報（感情や体調等の利用者の状況）が含まれる。
【０１０７】
利用者は、アパレルＩＤ［ＡＰ００１］，電子ペーパＩＤ［ＥＰ００１］及び［ＥＰ００２］，センサ情報を使用者用端末６からサービス提供サーバ２に送信して、シューズ７にデザインを施したプレビューデータの要求を行う。
【０１０８】
ステップＳ１３０に進み、サービス提供サーバ２は、利用者用端末６からアパレルＩＤ［ＡＰ００１］，電子ペーパＩＤ［ＥＰ００１］及び［ＥＰ００２］を受信する。ステップＳ１３１に進み、サービス提供サーバ２はセンサ情報を取得する。
【０１０９】
ステップＳ１３２に進み、サービス提供サーバ２は、アパレルＩＤ［ＡＰ００１］に対応するアパレルデータをアパレルＤＢ３７から取得する。また、サービス提供サーバ２は電子ペーパＩＤ［ＥＰ００１］及び［ＥＰ００２］に対応する電子ペーパデータを、電子ペーパＤＢ３６から取得する。サービス提供サーバ２は、取得した電子ペーパデータ，アパレルデータに含まれるアパレル画像と電子ペーパ画像とを組み合わせて合成する。
【０１１０】
ステップＳ１３３及びＳ１３４に進み、サービス提供サーバ２はセンサ情報に対応するデザインデータを、例えば表２５１に基づき、デザインＤＢ３８から取得する。表２５１はセンサ情報および電子ペーパＩＤとデザインＩＤとを対応付けたものである。図２５の例では、サービス提供サーバ２が、センサ情報［Ｘ０<Ｓ<Ｘ１］に対応するデザインＩＤ［ＤＥ０１２］及び［ＤＥ０２２］をデザインＤＢ３８から取得している。
【０１１１】
サービス提供サーバ２はアパレル画像と電子ペーパ画像とを組み合わせて合成した画像へセンサ情報に対応したデザインデータに含まれるデザイン画像を順番に合成して、デザイン候補のプレビューデータを作成する。
【０１１２】
ステップＳ１３５に進み、サービス提供サーバ２は作成したプレビュー画像をリストに追加し、利用者用端末６に配信する。利用者用端末６には、シューズ７にセンサ情報から推奨するデザインを施したプレビューが表示される。
（まとめ）
本発明によるシステムでは、利用者，電子ペーパ事業者，アパレル事業者，デザイン事業者にとって次の効果がある。
【０１１３】
利用者は所有するシューズ７等のアパレルに携帯電話等の利用者用端末６をかざすだけでアパレルにデザインを施したプレビューを利用者用端末６上で参照できる。なお、利用者用端末６はサービス提供サーバ２に自動的にアクセス可能である。
【０１１４】
また、電子ペーパ事業者は電子ペーパ９に関するデータ（仕様書／図面／画像等）を簡単にサービス提供サーバ２へ登録できる。アパレル事業者はアパレルに関するデータ（仕様書／図面／画像等）を電子ペーパ９と対応付けて簡単にサービス提供サーバ２へ登録できる。デザイン事業者はアパレルに関するデータ（仕様書／図面／画像等）と電子ペーパ９に関するデータ（仕様書／図面／画像等）とに簡単にアクセスでき、効率良くデザインを行うことができる。
【０１１５】
なお、上記したシステムではサービス提供サーバ２が電子ペーパＤＢ３６，アパレルＤＢ３７，デザインＤＢ３８を有する構成であったが、サービス提供サーバ２以外が有する構成であってもよい。さらに、サービス提供サーバ２は利用者が利用したデザインの履歴や評価等を格納する履歴ＤＢを有する構成とし、利用者，電子ペーパ事業者，アパレル事業者及びデザイン事業者に提供するようにしてもよい。
【０１１６】
本発明は、以下に記載する付記のような構成が考えられる。
（付記１）
表示媒体を備えた物品の前記表示媒体の表示形態を変化させたプレビューデータを配信するデザイン配信装置のデザイン配信方法であって、
前記デザイン配信装置の演算処理装置が、前記物品及び表示媒体を一意に識別可能な識別情報を端末から受信する受信ステップと、
前記演算処理装置が、前記識別情報に基づき、前記物品及び表示媒体に関するデータと前記物品及び表示媒体に対応するデザインデータとをデータベースから取得する取得ステップと、
前記演算処理装置が、取得した前記物品及び表示媒体に関するデータ，前記物品及び表示媒体に対応するデザインデータに基づき、前記プレビューデータを生成して前記端末に配信するプレビューデータ配信ステップと
を有することを特徴とするデザイン配信方法。
（付記２）
前記演算処理装置が、前記端末に配信した前記プレビューデータに対応するデザインデータを前記端末から要求される要求受付ステップと、
前記演算処理装置が、前記端末から要求された前記デザインデータを前記端末に配信するデザインデータ配信ステップと
を有することを特徴とする付記１記載のデザイン配信方法。
（付記３）
前記受信ステップは、前記演算処理装置が、前記表示媒体の表示形態を変化させている現在のデザインデータを一意に識別可能な識別情報を前記端末から更に受信することを特徴とする付記１又は２記載のデザイン配信方法。
（付記４）
前記受信ステップは、前記演算処理装置が、前記物品を使用する利用者の服装の色、日付、場所を表す情報、又は所定のセンサから取得された情報の何れか一つの情報を付加情報として前記端末から更に受信し、
前記取得ステップは、前記識別情報及び前記付加情報に基づき、前記物品及び表示媒体に関するデータと前記物品及び表示媒体に対応するデザインデータとをデータベースから取得することを特徴とする付記１乃至３何れか一項記載のデザイン配信方法。
（付記５）
前記表示媒体は電子ペーパであり、前記デザインデータは電子ペーパの表示形態を変化させる電子ペーパ用のデザインデータであることを特徴とする付記１乃至４何れか一項記載のデザイン配信方法。
（付記６）
表示媒体を備えた物品の前記表示媒体の表示形態を変化させたプレビューデータを配信するデザイン配信装置であって、
前記物品及び表示媒体を一意に識別可能な識別情報を端末から受信する受信手段と、
前記識別情報に基づき、前記物品及び表示媒体に関するデータと前記物品及び表示媒体に対応するデザインデータとをデータベースから取得する取得手段と、
取得した前記物品及び表示媒体に関するデータ，前記物品及び表示媒体に対応するデザインデータに基づき、前記プレビューデータを生成して前記端末に配信するプレビューデータ配信手段と
を有することを特徴とするデザイン配信装置。
（付記７）
前記端末に配信した前記プレビューデータに対応するデザインデータを前記端末から要求される要求受付手段と、
前記端末から要求された前記デザインデータを前記端末に配信するデザインデータ配信手段と
を有することを特徴とする付記６記載のデザイン配信装置。
（付記８）
電源を利用することなく表示形態を保持可能な表示媒体を備えた物品であって、
前記物品及び表示媒体を一意に識別可能な識別情報を記録する記録媒体と、
前記識別情報に基づき、前記物品及び表示媒体に対応するデザインデータを受信するデザインデータ受信手段と、
受信した前記デザインデータに基づいて、前記表示媒体のデザインを変更する表示制御手段と
を有する物品。
（付記９）
前記識別情報を送信する識別情報送信手段を更に有する付記８記載の物品。
【０１１７】
本発明は、具体的に開示された実施例に限定されるものではなく、特許請求の範囲から逸脱することなく、種々の変形や変更が可能である。
【図面の簡単な説明】
【０１１８】
【図１】デザイン配信サービスを提供するシステムの一実施例のシステム構成図である。
【図２】サービス提供サーバの一例のハードウェア構成図である。
【図３】サービス提供サーバの一例の処理ブロック図である。
【図４】利用者が所有するシューズのデザインデータをネットワーク経由で提供するデザイン配信サービスの一例のイメージ図である。
【図５】電子ペーパを備えたシューズの一例の外観図である。
【図６】デザイン配信サービスの手順を表した一例のイメージ図である。
【図７】電子ペーパデータを登録する処理の手順を表した一例のイメージ図である。
【図８】アパレルデータを登録する処理の手順を表した一例のイメージ図である。
【図９】デザインデータを登録する処理の手順を表した一例のイメージ図である。
【図１０】利用者用端末がシューズの備えているＲＦＩＤタグから電子ペーパＩＤ等のＩＤを読み出す処理の手順を表した一例のイメージ図である。
【図１１】利用者用端末がシューズの備えているＲＦＩＤタグにデザインデータを配信する処理の手順を表した一例のイメージ図である。
【図１２】プレビューデータを生成する処理の手順を表したフローチャートである。
【図１３】データテーブルの一例の構成図である。
【図１４】プレビューデータ生成手段の処理を表した一例のイメージ図である。
【図１５】プレビューデータを作成する手順を表す第１実施例のイメージ図である。
【図１６】第１実施例に係るサービス提供サーバの処理手順を表したフローチャートである。
【図１７】プレビューデータを作成する手順を表す第２実施例のイメージ図である。
【図１８】第２実施例に係るサービス提供サーバの処理手順を表したフローチャートである。
【図１９】プレビューデータを作成する手順を表す第３実施例のイメージ図である。
【図２０】第３実施例に係るサービス提供サーバの処理手順を表したフローチャートである。
【図２１】プレビューデータを作成する手順を表す第４実施例のイメージ図である。
【図２２】第４実施例に係るサービス提供サーバの処理手順を表したフローチャートである。
【図２３】プレビューデータを作成する手順を表す第５実施例のイメージ図である。
【図２４】第５実施例に係るサービス提供サーバの処理手順を表したフローチャートである。
【図２５】プレビューデータを作成する手順を表す第６実施例のイメージ図である。
【図２６】第６実施例に係るサービス提供サーバの処理手順を表したフローチャートである。
【符号の説明】
【０１１９】
１    システム
２    サービス提供サーバ
３    電子ペーパ事業者用端末
４    アパレル事業者用端末
５    デザイン事業者用端末
６    利用者用端末
７    シューズ
８，８ａ，８ｂ    ＲＦＩＤタグ
９，９ａ，９ｂ    電子ペーパ
１０    ネットワーク
２１    入力装置
２２    表示装置
２３    ドライブ装置
２４    補助記憶装置
２５    メモリ装置
２６    演算処理装置
２７    インターフェース装置
２８    記録媒体
３１    ＩＤ受信部
３２    データ取得部
３３    プレビューデータ配信部
３４    デザインデータ要求受付部
３５    デザインデータ配信部
３６    電子ペーパＤＢ
３７    アパレルＤＢ
３８    デザインＤＢ
６１    電子ペーパ登録手段
６２    アパレル登録手段
６３    デザイン登録手段
７１    カメラ
７２    ＲＦＩＤリーダライタ（ＲＦ−Ｒ／Ｗ）
１０１    表示回路
１０２    メモリ
１０３    ＲＦＩＤタグアンテナ
１０４    ＲＦＩＤタグ制御回路
１０５    ＲＦ−Ｒ／Ｗ制御回路
１０６    ＲＦ−Ｒ／Ｗアンテナ
１０７    端末アンテナ
１０８    端末制御回路
１０９    表示装置
【図１】
2008041035.tif 000003
【図２】
2008041035.tif 000004
【図３】
2008041035.tif 000005
【図４】
2008041035.tif 000006
【図５】
2008041035.tif 000007
【図６】
2008041035.tif 000008
【図７】
2008041035.tif 000009
【図８】
2008041035.tif 000010
【図９】
2008041035.tif 000011
【図１０】
2008041035.tif 000012
【図１１】
2008041035.tif 000013
【図１２】
2008041035.tif 000014
【図１３】
2008041035.tif 000015
【図１４】
2008041035.tif 000016
【図１５】
2008041035.tif 000017
【図１６】
2008041035.tif 000018
【図１７】
2008041035.tif 000019
【図１８】
2008041035.tif 000020
【図１９】
2008041035.tif 000021
【図２０】
2008041035.tif 000022
【図２１】
2008041035.tif 000023
【図２２】
2008041035.tif 000024
【図２３】
2008041035.tif 000025
【図２４】
2008041035.tif 000026
【図２５】
2008041035.tif 000027
【図２６】
2008041035.tif 000028